(57)【要約】【課題】遊技機島への取り付け工事の施工時間を大幅に短縮させることができる遊技機島の間仕切りを提供する。【解決手段】遊技機島１で遊技者の足下を仕切る間仕切り１０は、隣り合う遊技機２同士の間の前方で、遊技機島１側の天板３から床面Ａに向けて固定される仕切り体１１を備え、仕切り体１１は、天板３に固定するときに、天板３から垂れ下がる状態に仮止め可能である。【選択図】図１
2019209135.tif 000002
【特許請求の範囲】
【請求項１】
遊技機を並べて設置した遊技機島に設けられ、隣り合う遊技機の遊技者の足下を仕切るための間仕切りにおいて、
隣り合う遊技機同士の間の前方で、遊技機島側の取付箇所から床面に向けて固定される仕切り体を備え、
前記仕切り体は、前記取付箇所に固定するときに、前記取付箇所から垂れ下がる状態に仮止め可能であることを特徴とする遊技機島の間仕切り。
【請求項２】
前記仕切り体における最上端の高さは、遊技機島で遊技機が設置される遊技機設置面の高さ以下に設定されたことを特徴とする請求項１に記載の遊技機島の間仕切り。
【請求項３】
前記仕切り体において遊技機島正面に対向する後端縁は、遊技機島正面との間に所定の隙間をあけて配置されたことを特徴とする請求項１または２に記載の遊技機島の間仕切り。
【発明の詳細な説明】
【技術分野】
【０００１】
本発明は、遊技機を並べて設置した遊技機島に設けられ、隣り合う遊技機の遊技者の足下を仕切るための間仕切りに関する。
【背景技術】
【０００２】
従来より遊技場では、パチンコ機等の複数の遊技機を左右方向に並べて設置した遊技機島が構築されている。遊技機島の前方には、遊技機ごとに遊技者が着座して遊技を行う椅子が装備されていた。また、遊技機島において遊技機同士の間には、遊技者が隣の遊技者を気にせず遊技に集中できるように間仕切りが設けられる場合がある。
間仕切りには様々なタイプがあるが、例えば、椅子に着座して隣り合う遊技者同士の足の接触を防ぐものとして、遊技機島の遊技機前方に延出した天板から床面に亘り遊技機島下部の空間を仕切るものが知られている（例えば、特許文献１，２参照）。
【０００３】
特許文献１には、隣り合う椅子との間で床面から天板下側まで立設された仕切り板が開示されている。仕切り板の上端の一部は、天板上の遊技機設置面より上方に突出しておりアームレストが設けられていた。
特許文献２には、隣り合う椅子との間で床面から天板前方まで立設された仕切り板が開示されている。仕切り板の上端は、天板上の遊技機設置面より上方に延び出ているが、天板真下に位置する遊技機島下部の正面に沿った空間は何ら仕切られていなかった。
【０００４】
特許文献１，２に記載の何れの仕切り板においても、既存の遊技機島に対して後付け工事を行う場合、遊技場の営業に影響を及ぼさないよう通常は閉店後に作業が実施される。ところが、個々の仕切り板の取り付け作業に手間取ると、大量（数百台）の導入を実現させるには、閉店後の作業時間では終えることができない場合がある。このようなときは、数日間の工事を要することもあり、より簡易に取り付け作業が実現できる方法が望まれていた。
【先行技術文献】
【特許文献】
【０００５】
【特許文献１】登録実用新案第３０３３５０５号公報
【特許文献２】登録実用新案第３１３６４３２号公報
【発明の概要】
【発明が解決しようとする課題】
【０００６】
しかしながら、前述した従来の仕切り板では、それぞれ取り付け作業を行うときに、特に仕切り板の下部を床面に固定するための位置出しが煩雑であり手間がかかるという問題があった。例えば、床面に仕切り板の下部を固定するための墨出しを行うには、レーザー水準器や下げ振り（大工道具）等を用いる必要があった。また、各々の仕切り板に対しても、レーザー水準器等での位置出し作業が必要であった。
【０００７】
また、遊技機島に既に仕切り板が設置されている状態で遊技機交換を行うときに、天板の上方まで突出するような仕切り板があった場合（特にアームレストがある場合等）、仕切り板の上端側に対して遊技機がぶつかりやすい。したがって、仕切り板により遊技機交換の作業に支障を来すという問題があった。
【０００８】
また、仕切り板おいて遊技機島正面に対向する後端縁を、遊技機島下部の正面をなす腰板に当接ないし近接させている場合、遊技機島下部に配置された関連機器の保守点検の作業に支障を来すという問題があった。すなわち、腰板前方に位置する仕切り板によって、腰板にあるメンテナンス用の扉の開閉が困難となり、場合によっては仕切り板を取り外す手間が生じる。
【０００９】
本発明は、以上のような従来の技術が有する問題点に着目してなされたものであり、遊技機島への取り付け工事における施工時間を大幅に短縮させることができ、また、遊技機交換の作業や遊技機島下部の保守点検の作業に支障を来すことがない遊技機島の間仕切りを提供することを目的としている。
【課題を解決するための手段】
【００１０】
上記目的を達成するため、本発明は、遊技機（２）を並べて設置した遊技機島（１）に設けられ、隣り合う遊技機（２）の遊技者の足下を仕切るための間仕切り（１０）において、隣り合う遊技機（２）同士の間の前方で、遊技機島（１）側の取付箇所から床面に向けて固定される仕切り体（１１）を備え、前記仕切り体（１１）は、前記取付箇所に固定するときに、前記取付箇所から垂れ下がる状態に仮止め可能である。
【図面の簡単な説明】
【００１１】
【図１】本発明の第１実施の形態に係る遊技機島で隣り合う遊技機同士の間の前方に間仕切りを取り付けた状態を示す全体斜視図である。
【図２】本発明の第１実施の形態に係る遊技機島に仕切り体を仮置きした状態を拡大して示す斜視図である。
【図３】本発明の第１実施の形態に係る遊技機島に仮置きした仕切り体の上部を、第一固定具によって固定した状態を示す斜視図である。
【図４】本発明の第１実施の形態に係る遊技機島の天板下面に第一固定具を固定した状態を下方より観た斜視図である。
【図５】本発明の第１実施の形態に係る遊技機島に仮置きした仕切り体の下部を、第二固定具によって固定する途中の状態を示す斜視図である。
【図６】本発明の第１実施の形態に係る第二固定具のベースと一のアングルを組み合わせた状態を示す斜視図である。
【図７】本発明の第１実施の形態に係る遊技機島に仕切り体を設置完了した状態を示す斜視図である。
【図８】本発明の第１実施の形態に係る遊技機島で第一固定具と第二固定具（一部）を残して仕切り体を取り外した状態を示す斜視図である。
【図９】本発明の第１実施の形態に係る仕切り体を後方から観た斜視図（ａ）と、前方から観た斜視図（ｂ）である。
【図１０】本発明の第１実施の形態に係る仕切り体の左側面図（ａ）と、平面図（ｂ）と、正面図（ｃ）と、背面図（ｄ）である。
【図１１】本発明の第１実施の形態に係る第一固定具を斜め上方から観た斜視図（ａ）と、斜め下方から観た斜視図（ｂ）である。
【図１２】本発明の第１実施の形態に係る第一固定具の正面図（ａ）と、底面図（ｂ）と、右側面図（ｃ）である。
【図１３】本発明の第１実施の形態に係る第二固定具のベースを斜め上方から観た斜視図（ａ）と、斜め下方から観た斜視図（ｂ）である。
【図１４】本発明の第１実施の形態に係る第二固定具のベースの正面図（ａ）と、平面図（ｂ）と、右側面図（ｃ）である。
【図１５】本発明の第１実施の形態に係る第二固定具のアングルを一方から観た斜視図（ａ）と、他方から観た斜視図（ｂ）である。
【図１６】本発明の第１実施の形態に係る第二固定具のアングルの正面図（ａ）と、平面図（ｂ）と、右側面図（ｃ）と、左側面図（ｄ）である。
【図１７】本発明の第１実施の形態に係る遊技機島を模式的に示す縦断面図である。
【図１８】本発明の第１実施の形態に係る遊技機島の椅子に着座した遊技者の足の動作を説明するために、遊技機島の一部と椅子と着座者の位置関係を模式的に示す縦断面図である。
【図１９】本発明の実施の形態に係る遊技機島で遊技者が椅子に座るときの着座動作を説明するために、遊技機島の一部と椅子と着座者の位置関係を模式的に示す縦断面図である。
【図２０】産業技術総合研究所が公表している人体寸法データベースの一部を示す図表である。
【図２１】本発明の実施の形態に係る遊技機島における間仕切りと椅子（遊技者）と天板との位置関係を示す説明図である。
【図２２】従来の遊技機島と本発明の実施の形態に係る遊技機島において、遊技者の椅子への出入り動作を示す説明図である。
【図２３】本発明の第２実施の形態に係る仕切り体を後方から観た斜視図（ａ）と、前方から観た斜視図（ｂ）である。
【図２４】本発明の第２実施の形態に係る仕切り体の左側面図（ａ）と、平面図（ｂ）と、正面図（ｃ）と、背面図（ｄ）である。
【図２５】本発明の第３実施の形態に係る仕切り体を示す斜視図（ａ）と、上面設置具を取り外した状態を示す斜視図（ｂ）である。
【図２６】本発明の第４実施の形態に係る仕切り体を後方から観た斜視図（ａ）と、前方から観た斜視図（ｂ）である。
【図２７】本発明の第４実施の形態に係る仕切り体の左側面図（ａ）と、平面図（ｂ）と、正面図（ｃ）と、背面図（ｄ）である。
【図２８】本発明の第５実施の形態に係る遊技機島の一部を模式的に示す縦断面図である。
【図２９】本発明の第５実施の形態に係る仕切り体を示す斜視図である。
【図３０】本発明の第５実施の形態に係る遊技機島において、仕切り体の取付箇所を模式的に示す平面図である。
【図３１】本発明の第５実施の形態に係る遊技機島の天板を、図３０における矢印Ｇと直交する方向から切断した断面図（ａ）と、矢印Ｆと直交する方向から切断した断面図（ｂ）である。
【図３２】本発明の第６実施の形態に係る遊技機島の一部を模式的に示す縦断面図である。
【図３３】本発明の第６実施の形態に係る仕切り体を示す斜視図である。
【図３４】本発明の第６実施の形態に係る遊技機島において、仕切り体の取付箇所を模式的に示す平面図である。
【図３５】本発明の第６実施の形態に係る遊技機島の天板を、図３４における矢印Ｈと直交する方向から切断した断面図である。
【図３６】本発明の第６実施の形態に係る仕切り体の上部固定具が天板にある嵌合長溝に嵌合している状態を示す断面図である。
【図３７】本発明の第６実施の形態に係る上部固定具の正面図（ａ）と、平面図（ｂ）と、右側面図（ｃ）である。
【図３８】本発明の実施の形態において床面を覆うカーペットの構成の一例を示す模式図（ａ）と、カーペットのルーフパイルを示す拡大図（ｂ）と、カーペットのカットパイルを示す拡大図（ｃ）である。
【図３９】本発明の実施の形態において床面を覆うカーペット上に第２固定具を設置した状態を示す模式図である。
【図４０】本発明の実施の形態において床面を覆うカーペットの一部をカットした状態を示す模式図（ａ）と、カットした箇所に第２固定具を固定した状態を示す模式図（ｂ）である。
【図４１】本発明の実施の形態に係る下部固定具の変形例１の一部を示す模式図（ａ）と、変形例１を床面を覆うカーペット上に固定した状態を示す模式図（ｂ）と、その部分拡大図（ｃ）である。
【図４２】本発明の実施の形態に係る下部固定具の変形例２の一部を示す模式図（ａ）と、変形例２を床面を覆うカーペット上に固定した状態を示す模式図（ｂ）と、その部分拡大図（ｃ）である。
【図４３】本発明の実施の形態に係る下部固定具の変形例３の一部を示す模式図（ａ）と、変形例３を床面を覆うカーペット上に固定した状態を示す模式図（ｂ）と、その部分拡大図（ｃ）と、変形例３の斜視図（ｄ）である。
【図４４】本発明の実施の形態に係る下部固定具の変形例４の一部を示す斜視図である。
【図４５】本発明の実施の形態に係る下部固定具の変形例５の一部を示す模式図（ａ）と、変形例５の弾性体を示す斜視図（ｂ）である。
【図４６】本発明の実施の形態に係る下部固定具の変形例６の一部を示す模式図（ａ）と、変形例６の構造体を示す斜視図（ｂ）と、その部分拡大図（ｃ）である。
【発明を実施するための形態】
【００１２】
以下、図面に基づき本発明を代表する各種実施の形態を説明する。  
図１〜図２２は、本発明の第１実施の形態を示している。  
本実施の形態に係る遊技機島１の間仕切り１０は、遊技機２を並べて設置した遊技機島１に設けられ、隣り合う遊技機２の遊技者の足下を仕切るものである。
【００１３】
＜遊技機島１の概要＞
先ず、遊技機島１の概要について説明する。
図１に示すように、遊技機島１は、島枠となるフレームの島中段に複数の遊技機２を左右方向に並べて設置して構築されている。ここで遊技機は、例えばパチンコ機であり、正面をなすガラス面の内側の盤面上に遊技球を打ち出すものである。遊技機島１では、一般に遊技機２が背中合わせで前後２列に並べられているが（図１７参照）、遊技機２が片側一列のみ並べられた構成もある。図１では前後２列のうち片側一列の遊技機２のみ図示している。なお、遊技機島１は、遊技場内に通常は複数構築されている。
【００１４】
遊技機島１には、遊技機島正面より前方に配置された天板３が設けられている。天板３は、各遊技機２を左右方向（島長手方向）に並べて設置するための部位となる。天板３で、遊技機２の正面より前方に延出した上面は、遊技球を入れる玉箱等を載せるスペースとなる。本実施の形態に係る遊技機島１では、遊技機２が設置される遊技機設置面は、天板３の上面そのものではなく、天板３の島奥側となる後端寄りの上面には段状に高くするための設置台３ａが固定されており、この設置台３ａの上面が遊技機設置面となる。すなわち、遊技機設置面は、天板３の上面より一段高い位置となっている。また、天板３の前端上側に沿って、天板３上にこぼれ落ちた遊技球の落下を防ぐための突条３ｂが設けられている。
【００１５】
遊技機島１において、天板３より下方に位置する遊技機島下部には、図示省略したが遊技機２から排出された遊技球を集める回収樋や遊技球を貯留するタンク等の関連設備が配設される。このような遊技機島下部の正面は、腰板４によって覆われている。腰板４の一部は、関連機器の保守点検の作業を行うときに開閉可能なメンテナンス用の扉として構成されている。なお、遊技機島正面とは、天板３より上方では遊技機２の正面（ガラス面）であり、天板３より下方に位置する遊技機島下部では腰板４の正面となる。一般に遊技機２の正面と腰板４の正面は、ほぼ同一平面上に並ぶが多少前後する場合もある。
【００１６】
各遊技機２の間には、カードや紙幣の投入により遊技球を貸し出す台間球貸機５が配設されている。台間球貸機５の横幅は、隣り合う遊技機同士の間に収まる寸法となるが、台間球貸機５の横幅に加えて遊技機２同士の間隔を広げるための台間寸法を設けても良い。ここで台間寸法のうち台間球貸機５以外の部位には、間柱９が配設されている。遊技機島１において遊技機２同士の間には、遊技者が隣の遊技者を気にせず遊技に集中できるように、本発明の根幹をなす間仕切り１０が設けられている。間仕切り１０について詳しくは後述する。
【００１７】
また、遊技機島１の前方には、遊技機２ごとに遊技者が着座して遊技を行う椅子６が装備されている。図１７に示すように、椅子６は、回転軸７により床面Ａに対して水平方向に回転可能に支持されている。本実施の形態の椅子６は、座部６ａの座面の後端に背凭れ６ｂが固定されているが、座部６ａを回転軸７より前後方向にスライド可能に構成したり、あるいは背凭れ６ｂを所定範囲でリクライニング可能に構成したものでも良い。
【００１８】
遊技機島１に対する椅子６の位置は、一般的には人間工学等に基づき遊技者が出入りしやすいように、遊技機島１の最前方に位置する天板３の前端から椅子６の座部６ａ前端までの距離が、例えば１１０ｍｍ等の具体的な寸法に予め定められている。なお、図１では一部の椅子６のみ図示している。
【００１９】
＜間仕切り１０の構成＞
次に、本発明の根幹をなす間仕切り１０について説明する。
図１に示すように、間仕切り１０は、遊技機島１において隣り合う遊技機２の椅子６に着座した遊技者同士の足の接触を防ぐものである。間仕切り１０は、隣り合う遊技機２同士の間の前方で、遊技機島１側の取付箇所である天板３から床面Ａに向けて固定される仕切り体１１を備えている。
【００２０】
ここで「床面Ａに向けて固定」とは、仕切り体１１を床面Ａに対しても固定することを限定する意味ではなく、仕切り体１１が床面Ａに向かって延びる状態で、少なくとも遊技機島側の取付箇所（天板３）に固定されることを意味する。よって、仕切り体１１を、遊技機島１側の取付箇所（天板３）と床面Ａの両方に固定する場合だけでなく、少なくとも遊技機島１側の取付箇所（天板３）だけに固定する場合も含まれる。
【００２１】
本実施の形態に係る仕切り体１１は、上部１２が天板３に固定されると共に、下部１３が床面Ａに固定されるように構成されている。ここで仕切り体１１は、天板３に固定するときに、天板３から垂れ下がる状態に仮止め可能となっている。具体的には、仕切り体１１は、その上部１２を天板３に仮置きすることで、仕切り体１１の下部１３が自重により床面Ａ上で鉛直方向に垂れ下がるように構成されている。
【００２２】
図９，図１０に示すように、仕切り体１１は、所定の厚さの板材から図示した形状に形成されており、その材質は例えば木材が適している。詳しく言えば仕切り体１１は、後端縁１４が腰板４に沿って鉛直に配されるように直線状に延びており、上部１２は、その上端縁１２１が前後水平に延び、下部１３も、その下端縁１３１が前後水平に延びている。上部１２には、その上端縁１２１の下側に、後端縁１４側より前方（遊技者側）に向かって凹む切欠１２２が設けられている。
【００２３】
切欠１２２の少なくとも内縁上側は、上端縁１２１と平行に延びており、切欠１２２より上側に位置する上端縁１２１を含む部位は、アーム状に形成された腕部１２３となっている。この腕部１２３が、上部１２のうち天板３上に置くように仮止めする部位となる。腕部１２３の基端となる切欠１２２の最奥上側には、天板３の前端上側にある突条３ｂに係合する上向きの凹み１２２ａが設けられている。
【００２４】
また、切欠１２２の最奥で前記凹み１２２ａの下側には、天板３の板厚より若干大きな溝を形成して、天板３の前端を腕部１２３の下面との間に収めるための顎部１２２ｂが設けられている。なお、切欠１２２は、凹み１２２ａや顎部１２２ｂのある最奥側を除いて、天板３の板厚より上下幅のある略矩形に広がっているが、これは後述する第一固定具２０の取り付けスペースを確保したり、天板３の下面に配設されるタバコの吸殻回収パイプ８（図１７参照）等を回避するためである。
【００２５】
腕部１２３自体の上下幅（厚み）は、天板３上に載せられた状態で前記設置台３ａの高さ以下となるように設定されている。すなわち、仕切り体１１で最上端となる上端縁１２１の高さは、遊技機設置面の高さ以下となる。また、天板３上では腕部１２３が載置されたまま境界をなすことにより、天板３上にこぼれ落ちた遊技球が隣の遊技機２まで転がることが防止されている。なお、天板３の前端上側には前述した突条３ｂも設けられており、天板３から遊技球が落下することも防止されている。
【００２６】
仕切り体１１の後端縁１４は、図１８に示すように、遊技機島正面である腰板４との間に所定の隙間Ｂをあけて配置される。ここで所定の隙間Ｂは、腰板４の一部として開閉可能なメンテナンス用の扉の厚さや人の指先が入る程度の寸法（例えば１０〜３０ｍｍ）等、遊技機島下部の保守点検の作業に支障を来すことがない範囲で定められる。なお、所定の隙間Ｂは、仕切り体１１の上下に亘って一律な寸法でなくても良く、また遊技機下部の具体的な構成に応じて異なるものとなる。
【００２７】
ここで前記腕部１２３の先端は、後端縁１４よりも所定の隙間Ｂの分だけ後方（遊技機側）に突出している。よって、腕部１２３の先端を天板３の設置台３ａの端縁に当てるように位置決めすれば、仕切り体１１の後端縁１４と腰板４の正面との間に、所定の隙間Ｂを容易に確保することができる。なお、遊技機島下部において腰板４の下方は、腰板４の正面より一段奥に引っ込んだ奥壁４ａをなしており、遊技者のつま先のスペースが確保されている。
【００２８】
仕切り体１１の全体形状は、単なる長方形ではなく、遊技機島１の腰板４と平行に並ぶ後端縁１４を前後方向の基準として、上部１２と下部１３とで前方（遊技者側）への突出量が異なっている。本実施の形態の仕切り体１１は、上部１２に行くほど突出量が大きく、下部１３では突出量が小さく形成されている。よって、仕切り体１１の前端縁１５は、上部１２の前端から下部１３の前端に向かって遊技機島正面に接近する、すなわち後端縁１４に対する距離が短くなるように傾斜ないし湾曲している。
【００２９】
また、間仕切り１０全体における高さ寸法であるが、この寸法は遊技機島１において天板３の下面から床面Ａまでの距離に相当する。しかしながら、遊技機島１の形状は確定したものでなく、製造メーカ毎に形状が異なり、同一メーカであっても腰板４の形状、天板３の長さ、遊技機設置面の高さ等も変動することがあり、成形品等で島と密着させる足下仕切り板を製造することは実質的に不可能であった。
【００３０】
そこで、本発明の間仕切り１０では、仕切り体１１の高さ寸法を、一般的な遊技機島１における天板３下面から床面Ａまでの距離より短めに形成しておき、後述する第二固定具３０によって間仕切り１０全体の高さを調整するように構成している。これにより、仕切り体１１を固定するときに、その都度間仕切り１０全体における高さ寸法を、実際にはバラツキのある天板３下面から床面Ａまでの距離に合致させることができるようになっている。
【００３１】
＜仕切り体１１の固定手段＞
図３〜図８に示すように、仕切り体１１は、それ自体の構成だけで天板３に対して仮止めすることができるが、天板３や床面Ａに最終的に固定するための固定手段として、仕切り体１１の上部１２を天板３に固定する第一固定具２０と、仕切り体１１の下部１３を床面Ａに固定する第二固定具３０とを備えている。第一固定具２０と第二固定具３０は、仕切り体１１に対する取り付け位置が厳密には定められておらず、仕切り体１１がネジ止め可能な材質（例えば木材）で形成されることで、任意の位置にネジ止めすることが可能となり、取り付け位置にある程度の自由度がある。
【００３２】
図１１，図１２に示すように、第一固定具２０は、天板３の前端寄りの下面にネジ止めされる一つのブラケット金具からなる。第一固定具２０は、コ字形断面で上下方向に延びて前方に開口した垂直部２１と、垂直部２１の上端両側より左右に直角に広がる水平部２２とからなる。垂直部２１は、その背面壁２１１の両側端より前方へ両側壁２１２，２１２が直角に折り曲げられている。水平部２２は、両側に分かれた上面壁２２１が、それぞれ両側壁２１２，２１２の上端より側方に直角に折り曲げられている。このような第一固定具２０は、一枚の金属板を折り曲げて形成されている。両側壁２１２，２１２と一対の上面壁２２１，２２１には、それぞれネジ孔が設けられている。なお、第一固定具２０の取り付けについて詳しくは後述する。
【００３３】
図１３〜図１６に示すように、第二固定具３０は、床面Ａに置くベース３１と、ベース３１上で組み合わされて仕切り体１１の下部１３にネジ止めされる一対のアングル３２，３２との計３つのブラケット金具からなる。図１３，図１４に示すように、ベース３１は、コ字形断面で前後方向に延びて上方に開口しており、その底面壁３１１の両側端より上方へ両側壁３１２，３１２が直角に折り曲げられている。
【００３４】
各アングル３２は、それぞれ同一の部材である。図１５，図１６に示すように、アングル３２は、一枚の長方形の金属板をＬ字形に折り曲げて形成したものであり、側面壁３２１の一端が直角に折り曲げられて端面壁３２２をなし、さらに端面壁３２２の先端側が所定幅で側面壁３２１と平行に対向する折返壁３２３として直角に折り曲げられている。側面壁３２１と端面壁３２２の上下には、それぞれネジ孔が設けられている。なお、第二固定具３０の取り付けについても詳しくは後述する。
【００３５】
＜間仕切り１０の取り付け＞
次に、間仕切り１０の取り付けについて説明する。  
図１に示すように、遊技機島１において間仕切り１０は、隣り合う遊技機２同士の間の前方で天板３から床面Ａに向けて固定される。間仕切り１０の主要部をなす仕切り体１１は、遊技機島１側の天板３に固定するときに、天板３から垂れ下がる状態に仮止め可能である。
【００３６】
すなわち、図２に示すように、仕切り体１１は、その上部１２にある腕部１２３を天板３に仮置きすると、仕切り体１１の下部１３が自重により床面Ａ上で鉛直方向に垂れ下がる。このように、仕切り体１１が天板３に吊り下げられた仮置きの状態では、腕部１２３の下端が天板３の上面に当接し、さらに腕部１２３下方の切欠１２２内では、天板３の前端が、突条３ｂに係合する凹み１２２ａと顎部１２２ｂとの間に収まることで仮止めとなる。ここで顎部１２２ｂは、天板３の前端下面に当接させても良く、あるいは近接した状態に対向するだけでもかまわない。
【００３７】
この仮止め時に、仕切り体１１の下部１３の下端は床面Ａに近接するため、下部１３を床面Ａ上に固定するための位置出しを容易に行うことができる。すなわち、床面Ａにおける第二固定具３０の位置決めに際しては、従来の足元仕切り板の取り付け作業のように、例えばレーザー水準器や下げ振り（大工道具）等を用いた面倒な墨だし作業が不要となる。したがって、遊技機島１への仕切り体１１の固定作業を簡易かつ迅速に行うことが可能となり、取り付け工事における施工時間を大幅に短縮させることができる。
【００３８】
仕切り体１１を仮止めした後は、仕切り体１１の上部１２を、第一固定具２０によって天板３に固定する。また、仕切り体１１の下部１３を、第二固定具３０によって床面Ａに固定する。これにより、仕切り体１１は、天板３の下面から床面Ａに向かって延びた状態で外れないように強固に固定される。なお、図８に示すよう、第一固定具２０と、第二固定具３０のベース３１と一方のアングル３２だけを残して、仕切り体１１を取り外した状態とすれば、他の形状の仕切り体１１への交換作業等も容易に行うことができる。
【００３９】
図３，図４に示すように、第一固定具２０は、仮止めされた仕切り体１１の切欠１２２に配置され、垂直部２１の内側に切欠１２２内の端縁を嵌めた状態で、両側壁２１２，２１２が仕切り体１１に対してネジ止めされる。また、水平部２２をなす一対の上面壁２２１，２２１は、天板３の前端寄りの下面に当接してネジ止めされる。このような第一固定具２０により、仕切り体１１の上部１２は、天板３に対して強固に固定される。なお、図３，図４，それに図５，図７等において、図中のネジは省略している。
【００４０】
第一固定具２０は、仕切り体１１や天板３に対する取り付け位置が厳密には定められておらず、仕切り体１１や天板３がネジ止め可能な材質（例えば木材）で形成されることで、任意の位置にネジ止めすることができる。このように、第一固定具２０の取り付け位置には、ある程度の自由度がある。なお、第一固定具２０は、図示した具体的な構成に限られるものではなく、仕切り体１１の上部１２を天板３に固定できるものであれば、ネジの有無も問わず別の構成であってもかまわない。
【００４１】
図６に示すように、第二固定具３０は、先ずベース３１と一方のアングル３２を組み合わせておく。ここで図６中では図示省略したが、アングル３２の側面壁３２１の下側は、ベース３１の一側壁３１２にネジ止めされ、また、アングル３２の折返壁３２３の下側も、ベース３１の他側壁３１２の奥側にネジ止めされる。よって、ベース３１と一方のアングル３２は一部品として扱うことができる。
【００４２】
このベース３１と一方のアングル３２は、仮止めされた仕切り体１１で床面Ａ上に垂下している下部１３に対して、その片側の後方から覆うようにして位置決めされる。このときベース３１を、例えば両面テープ等で床面Ａに止着すれば位置ズレを防ぐことができる。なお、ベース３１の両側壁３１２，３１２の内側にはネジが突出することになるが、このネジよりも仕切り体１１の下部１３の下端縁１３１は通常は上方に位置するため、干渉することはない。
【００４３】
次いで、他方のアングル３２を、床面Ａ上のベース３１と一方のアングル３２に対して、仕切り体１１の下部１３のもう片側を前方から覆うように組み合わされる。ここで他方のアングル３２は、その側面壁３２１、端面壁３２２、および折返壁３２３の内側に、ベース３１と仕切り体１１の下部１３が収められた状態で、側面壁３２１の下側がベース３１の他側壁３１２にネジ止めされて組み合わされる。なお、他方のアングル３２の折返壁３２３は、ベース３１の他側壁３１２と一方のアングル３２の折返壁３２３の間に嵌入される。
【００４４】
このように３つのブラケット金具が組み合わされた第二固定具３０は、仕切り体１１の下部１３に対する取り付け位置の高さを調整することができる。すなわち、仕切り体１１の下部１３の最下端から床面Ａまでの距離に応じて、第二固定具３０が床面Ａにちょうど当接する高さ位置で、一対のアングル３２，３２の側面壁３２１の上側が仕切り体１１の下部１３に対してネジ止めされる。なお、図７，図８等において、図中のネジは省略している。
【００４５】
第二固定具３０の各ブラケット金具も、仕切り体１１に対する取り付け位置が厳密には定められておらず、仕切り体１１がネジ止め可能な材質（例えば木材）で形成されることで、任意の位置にネジ止めすることができる。このような第二固定具３０を介して、仕切り体１１の下部１３は床面Ａに係合するため、仕切り体１１は、天板３と床面Ａとの間でつっかえ棒のように上下に亘って垂直方向に係合することになる。
【００４６】
これにより、第二固定具３０を床面Ａに対して直接ネジ止めしなくても、十分な取り付け強度を保つことができる。そのため、仕切り体１１に遊技者の足がぶつかる等して衝撃が加わっても、仕切り体１１は容易に外れたり位置ズレすることはない。なお、第二固定具３０は、図示した具体的な構成に限られるものではなく、仕切り体１１の下部１３を床面Ａに対して強固に固定できるものであれば、ネジの有無も問わず別の構成であってもかまわない。
【００４７】
以上のような間仕切り１０の取り付け工事によれば、従来の施工方法に比べて床面Ａに固定するときの位置出しを容易に行うことができ、施工性を向上させ、施工時間を大幅に短縮することができる。遊技機島１に間仕切り１０を取り付ければ、隣り合う遊技機２の遊技者の足下を仕切ることができ、個々の遊技者の足下を囲むようなパーソナル感の高い遊技空間を確保することができる。なお、遊技者が出入りをするときの動作において、図１８に示すように、足先を引き寄せることで、間仕切り１０の下部に衝突しなくなり、出入りが容易になる。このように足先を膝位置より少し引き寄せる程度の動作は、日常普通に行われるものである。
【００４８】
＜間仕切り１０の他の特徴的な作用＞
本実施の形態の間仕切り１０では、天板３に固定した仕切り体１１において、最上端となる上部１２（腕部１２３）の上端縁１２１の高さを、天板３上にて遊技機設置面をなす設置台３ａの高さ以下に設定する。これにより、遊技機島１で遊技機交換を行うときに、重量物である遊技機２を島から引き出すように取り外しても、仕切り体１１に対して遊技機２自体やその付属品が干渉することはなく、容易に遊技機２の交換作業を行うことができる。
【００４９】
その一方で、天板３上では仕切り体１１の腕部１２３が、前述したように遊技機２同士の間を区画する境界をなす。これにより、天板３上にこぼれ落ちた遊技球が隣の遊技機２まで転がることを防止することができる。また、天板３の前端上側には突条３ｂが設けられているため、天板３から遊技球が落下することも防止される。ここで仕切り体１１の上部１２（腕部１２３）は、天板３のうち隣り合う遊技機２同士の間の前方となる位置に配置されるが、台間球貸機５の正面を避けるように配置すると良い。これにより、台間球貸機５の保守点検や交換を行うときにも、仕切り体１１が邪魔となる虞はない。
【００５０】
また、本実施の形態の間仕切り１０によれば、図１８に示すように、仕切り体１１において遊技機島正面に対向する後端縁１４は、遊技機島正面との間に所定の隙間Ｂをあけて配置する。ここで所定の隙間Ｂは、前述したように遊技機島下部の保守点検の作業に支障を来すことがない範囲で定められる。これにより、腰板４の内側に配置された関連機器等の保守点検が必要になった場合でも、腰板４のメンテナンス扉の開閉、または取り外し等が可能となり、仕切り体１１を一旦取り外すような余計な作業が必要なくなる。
【００５１】
さらに、本実施の形態の間仕切り１０では、仕切り体１１の全体形状が単なる長方形ではなく、遊技機島１の腰板４と平行に並ぶ後端縁１４を前後方向の基準とした前方（遊技者側）への突出量は、上部１２では突出量が大きく、下部１３では突出量が小さくなっている。これにより、特に間仕切り１０の下方では、遊技者が椅子６に出入りするスペースをより多く確保することができる。したがって、仕切り体１１によって仕切る機能と、出入りし易さを両立させることができる。
【００５２】
＜間仕切り１０の別観点からの特徴＞
ところで、前述した特許文献２に記載したように、足下仕切り板が天板３の前端から前方へかなり突出するタイプである場合、椅子６に対して遊技者が出入りし難いという問題があった。ここで遊技者の出入りをし易くするためには、図２２（ａ）に示すように遊技機２同士の間の間隔（寸法Ｅ）をあける必要がある。そして、遊技機２同士の間の間隔を広くあけると、遊技機島１に設置できる遊技機２の台数が減少してしまうという新たな問題が生じることになる。
【００５３】
このように、仕切り体１１（特に天板３より前方へ突出するタイプ）の設置条件として、仕切り体１１と椅子６の距離関係については、椅子６に遊技者が出入りするための空間（例えば遊技機２同士の間の台間寸法）が必要となる。この設置条件は、天板３の前端からの突出量が多い仕切り体１１ほど、特にその傾向が強くなる。そのため、間仕切り１０を設置可能な遊技機島１が限られるという問題があった。例えば、遊技機２同士の間隔が狭い遊技機島１における遊技者にこそ、仕切り板は必要となるものであるが、その対応が困難であった。
【００５４】
そこで、これらの課題を解決するために発明者らが鋭意研究を重ねた結果、次のような事実が明らかになった。すなわち、遊技者が椅子６に座るためには、椅子６同士の間より遊技者が入り込む必要があり、椅子６に座るには、図１９に示すように、膝を曲げるような状態で遊技機２の正面に移動していく必要がある。遊技機２と椅子６が、このようなやや窮屈と思える位置関係にあるのは、遊技者と遊技機２をできるだけ接近させたい（遊技状況をより良く確認したい。ハンドルと離れると操作しにくい）思いと、椅子６になんとか座り込める位置を模索してきた結果である。
【００５５】
この位置関係を分析すると、椅子６における座部６ａの座面上面と天板３の下面との間に遊技者の膝が入る位置関係であることがわかる。また、産業技術総合研究所が公表している「人体寸法データベース」を参照すると、遊技者が遊技機島１の椅子６に着座するために確保すべき寸法は、座面上面周辺では膝厚寸法が最も大きいことが分かる。すなわち、遊技者の膝厚が入り込むことができる寸法こそが、遊技者と島設備との取り合いを決定すべき根拠であるといえる。
【００５６】
具体的な数値を上げると、図２０に示すように「人体寸法データベース」における膝厚について、青年者群を参照すると、５０パーセンタイル（０〜５０％まで）で１１６．０ｍｍ、７５パーセンタイルで１２１．０ｍｍ、９７．５パーセンタイルで１２９．０ｍｍとなっている。この数値に若干の余裕が確保できていれば、椅子６の座面周端と天板３前端に関して着座動作に支障ない位置関係と定めることができる。これは間仕切り１０との確保寸法についても同様なことがいえる。なお、実際には遊技者の膝は、天板３の下方で島側に入り込むので、膝厚の確保寸法よりも若干少ない寸法で良い。
【００５７】
このような確保寸法を鑑み、間仕切り１０をより最適な寸法関係を設定するために検証したところ、間仕切り１０（仕切り体１１）の前端を、椅子６の座面先端よりも前方（遊技者側）へ突出させないことで、遊技者の椅子６に対する出入り動作が極めて容易にできるようになることが分かった。なお、従来のように遊技機島１から間仕切り１０の前端を大きく突出させると、遊技機島１に入り込まない部分の動線があるので、「膝厚＋α」の確保寸法が必須になってしまう。
【００５８】
以上の検証結果に基づいて、次のような発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに向けて固定される仕切り体１１を備え、
前記仕切り体１１の最前端は、各遊技機正面の前方に配置された椅子６の座面先端よりも平面視で遊技機正面側に位置することを特徴とする遊技機島１の間仕切り１０。
【００５９】
ここで仕切り体１１の「最前端」とは、仕切り体１１において上下に連なる前端縁１５のうち最も前方（遊技者側）へ突出している部位を指す。よって、仕切り体１１の下部１３ではなく上部１２の前端が該当する。この仕切り体の最前端との位置関係が定義される椅子６の「座面先端」とは、通常の着座時における椅子６の座部６ａ上の座面先端であり、椅子６が回転して座面先端が遊技機正面に対向しない状態や、座部６ａが例えば後方へスライド変位している状態における位置ではない。
【００６０】
このような発明概念によれば、図２２に示すように、間仕切り１０（仕切り体１１）の前端が、椅子６の座面先端よりも前方（遊技者側）へ突出することはないので、遊技者の椅子６に対する出入り動作が極めて容易にできるようになる。このように、遊技機島１における限られたスペースでも、遊技機２同士の間隔を余分に広げて遊技機２の設置台数を減らすことなく、間仕切りを何ら問題なく取り付けることができ、遊技者が椅子６に容易に出入りするための空間を確保することができる。
【００６１】
前述した発明概念は、遊技機正面と直交する前後方向の寸法関係を主眼としたものである。これに加えて、遊技機島正面と平行な左右方向における間仕切り１０と椅子６との最適な寸法関係についても検証したところ、間仕切り１０（仕切り体１１）と天板３と椅子６の位置関係を特定することで、遊技者の椅子６に対する出入り動作がよりいっそう容易にできるようになることが分かった。
【００６２】
以上の検証結果に基づいて、次のような発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに向けて固定される仕切り体１１を備え、
前記仕切り体１１の最前端と各遊技機正面の前方に配置された椅子６の可動範囲との平面視における最短距離は、遊技機島正面より前方（遊技者側）に配置された前記取付箇所の前端と前記椅子６の座面先端との平面視における距離以上に設定されたことを特徴とする遊技機島１の間仕切り１０。
【００６３】
ここで仕切り体１１の「最前端」と椅子６の「座面先端」は、前述した通りである。また、椅子６の「可動範囲」とは、図２１に示すように、椅子６の回転中心より最外側に位置する部位（座部６ａの座面先端の両角）の回転軌跡の内側が該当する。本実施の形態の椅子６は回転可能に支持されたものであり、スライドやリクライニング等の可動範囲は含めないが、回転以外の変位も可能な椅子の場合、そのスライドやリクライニング等の全ての動きを含めて可動範囲を定めると良い。
【００６４】
椅子６の可動範囲と仕切り体１１の最前端との「最短距離」は、椅子６の全ての可動範囲において最も仕切り体１１の最前端と平面視で近接した状態の距離Ｃ（図２１参照）が相当する。ここで仕切り体１１は、遊技機２ごとに対応して取り付けられており、その結果、椅子６の両側は、当該椅子６の正面の遊技機２に対応した仕切り体１１と、その隣の遊技機２に対応した仕切り体１１とで区画される。
【００６５】
この両側の仕切り体１１のうち、一般には遊技機２ごとに対応した仕切り体１１との間に、遊技者の出入りスペースがより広く確保される。したがって、前記発明概念における「仕切り体１１」は、遊技機２ごとに対応したものであり、隣の遊技機２に対応するものではない。ただし、隣の遊技機２に対応する仕切り体１１との確保寸法についても、本発明概念を適用しても良い。
【００６６】
また、遊技機島１側の「取付箇所」とは、本実施の形態では天板３である。よって、遊技機島正面より前方に配置された取付箇所の前端と椅子６の座面先端との平面視における距離とは、本実施の形態では天板３の前端と椅子６の座部６ａの座面先端との距離Ｄ（図２１参照）が相当する。なお、仕切り体１１の取付箇所は、必ずしも天板３に限られることはなく、遊技機島正面より前方に配置されて仕切り体１１の取付箇所をなすものであれば、天板３以外の他の島側構造物であっても良い。
【００６７】
このような別の発明概念によれば、間仕切り１０（仕切り体１１）と天板３と椅子６の位置関係において、遊技機正面と直交する前後方向のみならず、遊技機島正面と平行な左右方向においても、遊技者が椅子６に容易に出入りするための空間が積極的に確保される。したがって、遊技者の椅子６に対する出入り動作がよりいっそう容易にできるようになる。その他、仕切り体１１の下部１３の前端と椅子６の回転軸７の軸芯との距離と、遊技機正面（ガラス面）と椅子６の回転軸７の軸芯との距離とを同じぐらいの関係に設定しても良い。
【００６８】
また、遊技場の椅子６は回転動作をすることが一般的であり、従来の突出する足下仕切り板では、この回転機能を十分に利用できなかった。すなわち、図２２（ａ）に示すように、遊技者が椅子６を回転させながら椅子６から出ようとしても、足が仕切り体１１に当たるので、その部分で足位置の姿勢や位置を変えてから、再び椅子６から出る動作が必要であった。一方、図２２（ｂ）に示すように、前述した２つの発明概念に係る間仕切り１０によれば、遊技者が椅子６の回転機能をいっそう有効に活用して、椅子６への出入り動作ができることになる。
【００６９】
＜第２実施の形態に係る間仕切り１０Ａ＞
図２３，図２４は、本発明の第２実施の形態を示している。  
本実施の形態に係る間仕切り１０Ａは、前述した第１実施の形態に係る間仕切り１０と基本的な構成は共通するが、仕切り体１１Ａの形状が若干異なる。なお、第１実施の形態と同種の部位には同一符号を付して重複した説明を省略する。
【００７０】
第２実施の形態では、仕切り体１１Ａの上部１２における腕部１２３と、上部１２の前端から下部１３の前端に至る前端縁１５は、仕切り体１１と同一の形状であるが、腕部１２３の下方の切欠１２２Ａは、上下幅のある略矩形ではない。すなわち、仕切り体１１Ａでは、切欠１２２Ａの最奥にある顎部１２２ｂから下部１３の後端に亘って、切欠１２２Ａの内縁がそのまま仕切り体１１Ａの後端縁１４Ａとして湾曲しながら延びるように形成されている。
【００７１】
これにより、第２実施の形態の仕切り体１１Ａでは、遊技機島正面である腰板４との間の所定の隙間は上下に亘って一律な寸法ではなく、下部１３から上部１２に行くほど隙間の幅が大きくなる。したがって、腰板４の内側にある関連機器等の保守点検が必要になった場合に、前記隙間が広い分だけ腰板４のメンテナンス扉の開閉、または取り外し等がいっそう容易となる。なお、所定の隙間のうち、最も広くなる上部１２でも、遊技者の膝が入らない程度の幅以下とすることが好ましい。
【００７２】
＜第３実施の形態に係る間仕切り１０Ｂ＞
図２５は、本発明の第３実施の形態を示している。  
本実施の形態に係る間仕切り１０Ｂは、前述した第１実施の形態に係る間仕切り１０と基本的な構成は共通するが、仕切り体１１Ｂの上部１２の腕部が上面設置具１２３Ａとして仕切り体１１Ｂとは別体として構成されている。
【００７３】
仕切り体１１Ｂ自体の形状も、前記仕切り体１１とは若干異なっている。すなわち、仕切り体１１Ｂの形状は、その切欠１２２Ｂの内縁下側が、上面設置具１２３Ａと平行ではなく下方へ傾斜している。このような仕切り体１１Ｂにおける多少の形状の相違は、適宜なし得る設計事項である。なお、第１実施の形態と同種の部位には同一符号を付して重複した説明を省略する。
【００７４】
上面設置具１２３Ａは、アーム状に延びた金属製の部材であり、コ字形断面で前後方向に延びて下方に開口しており、その基端側が仕切り体１１Ｂの上部１２に被さる状態でネジ等により締結される。ここで上面設置具１２３Ａと仕切り体１１Ｂの締結方法は、他に例えば、ダボ等が複数あり嵌め込むことで締結したり、一方に設けたピンに他方を差し込むことで締結し、仕切り体１１Ｂが自重で垂下するように構成すること等が考えられる。何れの締結方法であっても、上面設置具１２３Ａを天板３上に載せることで、仕切り体１１Ｂが垂れ下がる状態に仮止め可能となっている。
【００７５】
間仕切り１０の取り付け工事のとき、位置出しとして仕切り体１１全体を利用して仮止めする必要があるが、持ち運びが大変である。そこで、第３実施の形態の上面設置具１２３Ａだけの持ち運びであれば、作業もより容易になる。また、仕切り体１１Ｂが傷んで交換をする場合、若しくは形状の異なる仕切り体を設置したくなった場合でも、上面設置具１２３Ａを残して、仕切り体１１Ｂの本体だけを取り外して交換作業を行えば、仕切り体１１Ｂの位置出し作業は完了している状態であるため、容易に交換作業をすることが可能になる。
【００７６】
第３実施の形態の別の効果として、遊技機交換において、遊技機２と上面設置具１２３Ａは接触して擦れるため、上面設置具１２３Ａが傷んでしまった場合、上面設置具１２３Ａだけを交換することも可能となる。さらに、遊技機交換やメンテナンス等で、上面設置具１２３Ａを取り外した作業の方が良いと思われるときは、取り外すことも可能になる。よって、遊技場の遊技機管理者は、仕切り体１１Ｂがどのような遊技機島１が設置されても、交換やメンテナンス等で心配をする必要がなくなる。
【００７７】
また、上面設置具１２３Ａの下面側は両面テープ等で天板３の上面に止着するようにすれば、仕切り体１１Ｂの工事中（仕切り体１１の交換等も含む）のときも、仕切り体１１Ｂの位置ズレが生じない。これは、前述した他の仕切り体１１，１１Ａについても同様である。また、上面設置具１２３Ａの高さについては、他の仕切り体１１，１１Ａにおける最上端の高さと同様に、遊技機設置面（設置台３ａの上面）の高さ以下に設定されることが望ましい。
【００７８】
＜第４実施の形態に係る間仕切り１０Ｃ＞
図２６，図２７は、本発明の第４実施の形態を示している。  
前述した第１〜第３実施の形態の間仕切り１０，１０Ａ，１０Ｂは、何れも仕切り体１１，１１Ａ，１１Ｂの下部１３の下端縁１３１が、床面Ａに近接する状態での仮止めが可能なものである。これに対して、第４実施の形態に係る間仕切り１０Ｃは、仕切り体１１Ｃの上下方向の長さを短く構成している。
【００７９】
第４実施の形態の仕切り体１１Ｃは、前述した仕切り体１１等の下半分側をカットすることで、上下方向の長さを半分程度に形成している。ここで仕切り体１１Ｃの下部１３Ｃの下端位置は、椅子６に着座した遊技者の膝位置のみを仕切れる程度に設定されている。また、仕切り体１１Ｃの後端縁１４Ｃから下部１３Ｃの下端縁１３１、そして下端縁１３１から前端縁１５Ｃにかけて、全体的な丸味を帯びた形状に形成されている。なお、第１実施の形態と同種の部位には同一符号を付して重複した説明を省略する。
【００８０】
このような仕切り体１１Ｃであっても、遊技機島１側の取付箇所である天板３に固定するときは、天板３から垂れ下がる状態に仮止め可能である。すなわち、仕切り体１１Ｃの上部１２にある腕部１２３を天板３に仮置きすると、仕切り体１１Ｃの下部１３Ｃが自重により床面Ａ上で鉛直方向に垂れ下がる。このとき、仕切り体１１Ｃの上部１２を前述の第一固定具２０によって天板３に固定すれば良い。
【００８１】
仕切り体１１Ｃの下部１３Ｃは、床面Ａに向かって垂下しているが、床面Ａより上方に離隔しており、床面Ａに対して固定しないため、床面Ａでの位置出しは不要である。また、第二固定具３０を用いた取り付け作業も不要であり、より簡易な工事で取り付け作業を実施することができる。また、仕切り体１１Ｃは全体的に短いため、構成を簡易化することができ、上部１２だけの固定によっても十分な取り付け強度を保つことができる。
【００８２】
＜第５実施の形態に係る間仕切り１０Ｄ＞
図２８〜図３１は、本発明の第５実施の形態を示している。  
前述した第１〜第４実施の形態の間仕切り１０，１０Ａ，１０Ｂ，１０Ｃは、何れも仕切り体１１，１１Ａ，１１Ｂ，１１Ｃは上部１２に腕部１２３，１２３Ａを備えており、腕部１２３，１２３Ａを天板３に仮置きすることで垂れ下がる状態に仮止め可能なものであった。これに対して、第５実施の形態に係る間仕切り１０Ｄも、遊技機島１側の取付箇所から床面Ａに向けて固定される仕切り体１１Ｄを備えるが、仕切り体１１Ｄは、取付箇所（例えば天板３）に固定するときに、取付箇所に対して位置決め可能であることを特徴とする。
【００８３】
第５実施の形態では、仕切り体１１Ｄの上部１２と、その取付箇所である天板３の下面に、互いに位置決め可能に嵌合する嵌合部と被嵌合部とが設けられている。図２９に示すように嵌合部は、仕切り体１１Ｄの上部１２の上端縁１２１より上方に突設された上部突起１２４である。一方、被嵌合部は、天板３の下面側に凹設されて上部突起１２４が嵌合する嵌合溝３ｃである。上部突起１２４は、上部１２の後方（遊技機島１側）寄りの位置に、上端縁１２１より一段高い凸状に突設されている。図３０，図３１に示すように被嵌合部は、天板３の下面側で上部突起１２４の取付位置に、上部突起１２４が合致する形状に凹設された嵌合溝３ｃである。
【００８４】
ここで上部突起１２４は、嵌合溝３ｃに対して密に嵌合するように設定されており、上部突起１２４と嵌合溝３ｃの嵌合状態の摩擦力が重力に勝れば、仕切り体１１Ｄは天板３より垂れ下がる状態に仮止めすることも可能となる。ただし、第５実施の形態では、仕切り体１１Ｄが必ずしも垂れ下がる状態に仮止め可能なものに限らず、上部突起１２４と嵌合溝３ｃとの嵌合は、単に位置決めに用いられる構成であれば足りる。仕切り体１１Ｄでは、腕部１２３が不要となるため、切欠１２２も設けられていない。なお、第１実施の形態と同種の部位には同一符号を付して重複した説明を省略する。
【００８５】
遊技機島１に間仕切り１０Ｄを取り付けるには、先ず仕切り体１１Ｄにある上部突起１２４を天板３の下面にある嵌合溝３ｃに差し込むように嵌合して位置決めする。かかる状態で、仕切り体１１Ｄの下部１３は床面Ａに近接しており、第１実施の形態の仕切り体１１の場合と同様に、面倒な位置出しを行うことなく、第二固定具３０によって下部１３を床面Ａに固定すれば良い。このように、仕切り体１１Ｄの上部１２に関しては、第一固定具２０等を用いて固定する必要はなく、極めて容易に取り付け作業を実施することができる。
【００８６】
このような第５実施の形態からは、前述した「仕切り体１１Ｄは、取付箇所に固定するときに、取付箇所に対して位置決め可能である」ことの他、「遊技機島１に間仕切り１０Ｄの設置を補助する加工が施されている」という発明概念を導くことができる。ここで「補助する加工」とは、例えば、仕切り体１１Ｄの位置決めに用いる被嵌合部（または嵌合部）を設けることである。よって、前述したが間仕切り１０Ｄの仕切り体１１Ｄを、遊技機島１の取付箇所（天板３等）に固定するときは、取付箇所から垂れ下がる状態に仮止め可能であるか否かは問わない。
【００８７】
なお、前述した嵌合部と被嵌合部とは、図示した上部突起１２４と嵌合溝３ｃに限定されるものではなく、互いに位置決め可能に嵌合するものであれば、他の構造であってもかまわない。また、第５実施の形態では、仕切り体１１Ｄに嵌合部を設ける一方、遊技機島１側の取付箇所である天板３に被嵌合部を設けたが、逆の態様として、仕切り体１１Ｄに被嵌合部を設ける一方、天板３に嵌合部を設けるように構成しても良い。
【００８８】
＜第６実施の形態に係る間仕切り１０Ｅ＞
図３２〜図３７は、本発明の第６実施の形態を示している。  
本実施の形態に係る間仕切り１０Ｅは、前述した第５実施の形態に係る間仕切り１０Ｄと技術的な思想として共通するものであり、仕切り体１１Ｅは、遊技機島１側の取付箇所（例えば天板３）に固定するときに、取付箇所に対して位置決め可能であることを特徴とする。
【００８９】
第６実施の形態でも、仕切り体１１Ｅの上部１２と、その取付箇所である天板３の下面に、互いに位置決め可能に嵌合するための嵌合部と被嵌合部が設けられている。ここで嵌合部は、仕切り体１１Ｅの上部１２に取り付けられた上部固定具４０からなる。上部固定具４０は、仕切り体１１Ｅの上部１２に取り付ける一つのブラケット金具からなる。図３７に示すように上部固定具４０は、コ字形断面で左右方向に延びて下方に開口した水平部４１と、水平部４１の中央下端より下方に連なって上下に延びる平板状の垂直部４２とからなる。
【００９０】
水平部４１は、後述する被嵌合部に移動可能に嵌合する部位である。詳しく言えば水平部４１は、図３７に示すように、垂直部４２が中央下端より下方に延出した背面壁４１１と、背面壁４１１と前後に対向する正面壁４１３と、背面壁４１１と正面壁４１３の上端縁間に直角に連なる上面壁４１２とからなる。上面壁４１２には、後述する被嵌合部のある天板３に後からネジ止めするための複数の取付孔４１２ａが設けられている。
【００９１】
垂直部４２は、仕切り体１１Ｅの上部１２の後端側に設けられている切欠１２２の縦端面にネジ止めする部位である。垂直部４２には、ネジ止めするための複数の取付孔４２１が設けられている。なお、上部固定具４０は、予め仕切り体１１Ｅに取り付けるものであるが、もちろん遊技場の施工現場で、仕切り体１１Ｅに取り付けるようにしてもかまわない。
【００９２】
一方、被嵌合部は、天板３の下面側に凹設されて上部固定具４０の水平部４１が嵌合する嵌合長溝３ｄである。図３４〜図３６に示すように、嵌合長溝３ｄは、天板３の下面側で上部固定具４０を取り付ける前後位置に、水平部４１がちょうど合致する横断面形状で左右方向（島長手方向）に延びるように凹設されている。ここで上部固定具４０（の水平部４１）は、嵌合長溝３ｄに対して密に嵌合するように設定されており、上部固定具４０と嵌合長溝３ｄの嵌合状態の摩擦力が重力に勝れば、仕切り体１１Ｅは天板３より垂れ下がる状態に仮止めすることも可能なことは、前述した第５実施の形態と同様である。
【００９３】
第６実施の形態に係る間仕切り１０Ｅの遊技機島１への取り付けは、先ず仕切り体１１Ｅに取り付けてある上部固定具４０を嵌合長溝３ｄに嵌合させてから、第二固定具３０によって下部１３を床面Ａに固定する。かかる取り付け方法も、前述した第５実施の形態の場合と共通するが、第６実施の形態の仕切り体１１Ｅの取り付けでは、次のような特有の効果がある。すなわち、先ず嵌合長溝３ｄを形成するための天板３の下面側の加工処理が容易である。
【００９４】
また、長手方向に延びる嵌合長溝３ｄに対して上部固定具４０は、ネジ止め前は移動させることができるため、仕切り体１１Ｅを任意の位置に配置させることができる。さらに、遊技機２の配置（例えば遊技機２間の寸法）を変更したときでも、仕切り体１１Ｅの取り付け位置を容易に対応させることができる。なお、上部固定具４０では、嵌合長溝３ｄに嵌合させる水平部４１が垂直部４２の上端の幅を超えて左右に長く延びているが、これは仕切り体１１Ｅを固定した設置後に、仕切り体１１Ｅに側方から強い力がかかっても、倒れない強度を保つためである。
【００９５】
＜仕切り体１１の第二固定具３０（固定手段）の変形例＞
前述した第１〜第３および第５，第６実施の形態の間仕切り１０，１０Ａ，１０Ｂ，１０Ｄ，１０Ｅに設置に関して、それぞれの仕切り体１１，１１Ａ，１１Ｂ，１１Ｄ，１１Ｅの下部１３を床面Ａに固定するには、床面Ａが例えば硬質な材質の平面である場合、アンカーを設置せずとも、第二固定具３０を床面に押し付けて固定することができる。
【００９６】
このような第二固定具３０により、仕切り体１１，１１Ａ，１１Ｂ，１１Ｄ，１１Ｅは、天板３の下面から床面Ａに対して突っ張った状態になるので位置ずれを起こさない。以下、間仕切り１０，１０Ａ，１０Ｂ，１０Ｄ，１０Ｅを総称するときは、代表して間仕切り１０と表記する。また、仕切り体１１，１１Ａ，１１Ｂ，１１Ｄ，１１Ｅを総称するときは、代表して仕切り体１１と表記する。
【００９７】
ところで、床面Ａは硬質な材質の平面とは限らず、例えば図３８（ａ）に示すように、床面ＡがカーペットＢ等の柔軟な材質により覆われていることもある。カーペットＢは、一般に下から順に背面材、基布２、ゴム材、基布１が接着により積層され、上層の基布１およびゴム材に、パイル糸が編み込まれて形成されている。最下層の背面材は、例えばゴム材等の防音材や断熱材であり、上下の基布１，２の間のゴム材は、例えば天然ゴム（ラテックス）が適している。
【００９８】
カーペットＢの表面地を成すパイル糸には、一般にループパイルとカットパイルの種類がある。図３８（ｂ）に示すように、ループパイルは、基布１の表面上に通常の織り上がった数多の輪状の起毛であり、フック等が引っ掛かりやすい。一方、図３８（ｃ）に示すように、カットパイルは、通常の輪状の起毛をシャーリング（刈り取り）した切毛である。いずれの種類のカーペットＢでも、図３９に示すように、第二固定具３０を床面Ａ上のカーペットＢに押し付けて固定した場合、カーペットＢ上の設置面は柔軟で滑らかいため、衝撃を与えると位置ずれをしてしまう虞がある。
【００９９】
このような問題を解決するには、第二固定具３０を成すベース３１の底面壁３１１にある穴（図６参照）を利用して、アンカーやコンクリートネジで固定することで位置ずれを防止することもできるが、以下のような課題が生じる。
【０１００】
先ず、第一の課題として、第二固定具３０をカーペットＢ上にそのまま固定すると、パイル糸が不均等に重なることもあり、垂直に第二固定具３０を設置することが難しい場合がある。そこで、図４０（ａ）に示すように、第二固定具３０を設置するカーペットＢの一部をカットする方法もあるが、作業が非常に手間になってしまう。
【０１０１】
次に、第二の課題として、カーペットＢを敷く床面Ａ下がモルタル等である場合、図４０（ｂ）に示すように、アンカーやコンクリートネジ等を使用して固定しても十分に固定強度が確保できず、衝撃を与えると位置ずれを起こしてしまう虞があった。
【０１０２】
そこで、以上のような課題に着目して、以下のような第二固定具３０に関する変形例が考えられる。
【０１０３】
＜＜変形例１に係る第二固定具３０Ａ＞＞
図４１は、変形例１に係る第二固定具３０Ａを示している。
本変形例１では、第二固定具３０Ａは、前述した第二固定具３０（図５〜図７参照）と基本的な構成は共通しており、カーペットＢに対接させるベース３１と、該ベース３１上で組み合わされる一対のアングル３２，３２との計３つのブラケット金具から成る。ここでベース３１には、その底面壁３１１より下方に突出するスパイク３１３が設けられている。
【０１０４】
スパイク３１３は、釘状の突起物であり、例えば底面壁３１１にある穴に挿通させた状態で下方に突出している。スパイク３１３は、カーペットＢの上層の基布１から下層の背面材に亘って刺さる長さを備えると良い。また、ベース３１の底面壁３１１にある穴（図６参照）は２つのみに限らず、穴の数を増やしてスパイク３１３も３つ以上設けるようにしても良い。また、ベース３１の底面壁３１１の穴とは関係なく、スパイク３１３の頭部を平らにして、底面壁３１１の下面に接着するように構成しても良い。
【０１０５】
このような第二固定具３０Ａによれば、仕切り体１１の下部１３を、床面Ａ上のカーペットＢに対して強固に固定することができる。なお、第二固定具３０Ａの課題として、仕切り体１１に衝撃が繰り返し加わると、カーペットＢにスパイク３１３を刺していた穴が大きくなってきてガタつく虞がある。また、カーペットＢは、布地とゴム材等を接着させた積層構造であるので、衝撃が加わると変形してしまう。よって、衝撃が加わる状況下では、長期間ずれないで固定させることが難しい場合もある。
【０１０６】
以上の本変形例１の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ａを介して床面Ａ上に固定され、
前記固定具３０Ａは、床面Ａ側に対して刺さるスパイク３１３を備えることを特徴とする。
なお、本変形例１を適用する床面Ａは、必ずしもカーペットＢが敷かれている場合に限らず、床面Ａ側の設置面が、スパイク３１３を刺して固定可能な材質であれば足りる。
【０１０７】
＜＜変形例２に係る第二固定具３０Ｂ＞＞
図４２は、変形例２に係る第二固定具３０Ｂを示している。
本変形例２も、第二固定具３０Ｂは、前述した第二固定具３０（図５〜図７参照）と基本的な構成は共通しており、カーペットＢに対接させるベース３１と、該ベース３１上で組み合わされる一対のアングル３２，３２との計３つのブラケット金具からなる。ここでベース３１には、その底面壁３１１の下面に面ファスナーを成す多数のフック３１４が設けられている。
【０１０８】
フック３１４は、カーペットＢの表面のループパイルに対して着脱可能な突起群である。フック３１４は、例えばシート状の基材の片面上に多数設けられており、基材のもう片面が底面壁３１１の下面に接着される。なお、個々のフック３１４の具体的な形状は、図示した鈎状の突起に限らず、他に例えばマッシュルーム状の突起のクリックタイプや、鋸歯状の突起のシャークバイト（鮫歯）タイプ等のバリエーションがある。 
【０１０９】
このような第二固定具３０Ｂによれば、仕切り体１１の下部１３を、床面Ａ上のカーペットＢに対して強固に固定することができる。なお、第二固定具３０Ｂの課題として、カーペットＢの表面地の種類により取り付けに相性がある。すなわち、カーペットＢの表面地のパイル糸がループパイルである場合（図３８（ｂ）参照）、強固に固定できるが、カットパイルの場合（図３８（ｂ）参照）、不向きである。また、フック３１４は、パイル糸との固着になるので、圧力を加えた状態だとややズレることがある。ただし、圧力を除けばズレは元の状態に戻る。
【０１１０】
以上の本変形例２の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ｂを介して床面Ａ上に固定され、
前記固定具３０Ｂは、床面Ａ上のカーペットＢに対して固着する面ファスナー（フック３１４）を備えることを特徴とする。
【０１１１】
＜＜変形例３に係る第二固定具３０Ｃ＞＞
図４３は、変形例３に係る第二固定具３０Ｃを示している。
本変形例３も、第二固定具３０Ｃは、前述した第二固定具３０（図５〜図７参照）と基本的な構成は共通しており、カーペットＢに対接させるベース３１と、該ベース３１上で組み合わされる一対のアングル３２，３２との計３つのブラケット金具からなる。ただし、ベース３１は、上下が逆向きの状態で組み合わされている。
【０１１２】
図４３（ａ），（ｄ）に示すように、第二固定具３０Ｃのベース３１は、底面壁３１１が上側に位置し、両側壁３１２，３１２が下向きの状態となるように、一対のアングル３２，３２と組み合わされている。ここでベース３１の両側壁３１２，３１２の下向きの端縁は、各アングル３２における側面壁３２１、端面壁３２２、および折返壁３２３から成る外周の壁先端３２４よりも上側に位置するように設定されている。よって、第二固定具３０Ｃでは、長方形に連なる外周の壁先端３２４が床面Ａ側に対接することになる。
【０１１３】
このような第二固定具３０Ｃによれば、仕切り体１１の下部１３を、床面Ａ上のカーペットＢに対して強固に固定させることができ、仕切り体１１に衝撃を加えてもズレが生じにくい。また、仕切り体１１に衝撃を繰り返し加えても、カーペットＢのゴム材の層まで壁先端３２４を食い込ませていないので（凹ませる程度）、カーペットＢの基材が破損し変形してしまうことがない。
【０１１４】
すなわち、図４３（ｂ），（ｃ）に示すように、カーペットＢの表面におけるパイル糸の間に第二固定具３０Ｃの壁先端３２４が線状に差し込まれる状態になるので、パイル糸そのものがズレ防止の機能を果たすことになる。ここで壁先端３２４は長方形を象るが、前後方向の方が長いので、左右方向へは非常にズレにくい。一般に遊技者の膝や足から仕切り体１１に加わる衝撃は左右方向からなので、よりいっそうズレに強いことになる。
【０１１５】
以上の本変形例３の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ｃを介して床面Ａ上に固定され、
前記固定具３０Ｃは、床面Ａ上のカーペットＢに対接する外周の壁先端３２４を備えることを特徴とする。
【０１１６】
＜＜変形例４に係る第二固定具３０Ｄ＞＞
図４４は、変形例４に係る第二固定具３０Ｄを示している。
本変形例４では、第二固定具３０Ｄは、前述した第３の変形例（図４３参照）と基本的な構成は共通しているが、第二固定具３０Ｄの外周の壁先端３２４に沿って突起３２５が設けられている点で、第３の変形例の構成とは異なっている。
【０１１７】
第二固定具３０Ｄの壁先端３２４にある突起３２５は、例えば等間隔に複数並ぶように設けると良い。また、突起３２５の高さは、カーペットＢの表面側より喰い込むが、例えばゴム材の層までは達しない程度の寸法が好ましい。なお、突起３２５の具体的な形状や数は、適宜定め得る設計事項である。このような第二固定具３０Ｄによれば、仕切り体１１の下部１３を床面Ａ上のカーペットＢに対して、前述した第３の変形例よりもいっそう強固に固定することができる。
【０１１８】
以上の本変形例４の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ｄを介して床面Ａ上に固定され、
前記固定具３０Ｄは、床面Ａ上のカーペットＢに対接する外周の壁先端３２４を備え、該壁先端３２４に沿って、前記カーペットＢの表面側に喰い込む突起３２５が設けられたことを特徴とする。
【０１１９】
＜＜変形例５に係る第二固定具３０Ｅ＞＞
図４５は、変形例５に係る第二固定具３０Ｅを示している。
本変形例５では、第二固定具３０Ｅは、前述した変形例３（図４３参照）と基本的な構成は共通しているが、図４５（ａ）に示すように、第二固定具３０Ｅを構成するベース３１の内側に、高摩擦力の弾性体３１５が設けられている。
【０１２０】
弾性体３１５は、例えば防振ゴムや防振ゲル等の高い摩擦力を有する材質により形成されている。図４５（ｂ）に示すように、弾性体３１５は、ベース３１の内側に下方から嵌め込む形状である。弾性体３１５において、第二固定具３０Ｅの外周の壁先端３２４と共にカーペットＢに対接する最下面は、例えば壁先端３２４と同等の高さ位置となるように設定されている。
【０１２１】
このような第二固定具３０Ｅによれば、仕切り体１１の下部１３を床面Ａ上のカーペットＢに対して、壁先端３２４が喰い込むだけでなく、弾性体３１５が高い摩擦力を持って対接するため、仕切り体１１の下部１３を床面Ａ上のカーペットＢに対して、なおさら強固に固定することができる。なお、弾性体３１５は、前述した変形例３に係る第二固定具３０Ｃに限らず、前述した変形例４に係る第二固定具３０Ｄに組み合わせても良い。
【０１２２】
以上の本変形例５の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ｅを介して床面Ａ上に固定され、
前記固定具３０Ｅは、床面Ａ側に対接して摩擦力を付与する弾性体３１５を備えることを特徴とする。
なお、本変形例５を適用する床面Ａは、必ずしもカーペットＢが敷かれている場合に限らず、床面Ａ側の設置面が、弾性体３１５との接触により摩擦力を生じされるものであれば足りる。
【０１２３】
＜＜変形例６に係る第二固定具３０Ｆ＞＞
図４６は、変形例６に係る第二固定具３０Ｆを示している。
本変形例６では、第二固定具３０Ｆは、前述した第二固定具３０（図５〜図７参照）と基本的な構成は共通しており、カーペットＢに対接させるベース３１と、該ベース３１上で組み合わされる一対のアングル３２，３２との計３つのブラケット金具からなる。ただし、ベース３１の底面壁３１１は、各アングル３２における外周の壁先端３２４よりも上側に位置し、底面壁３１１と壁先端３２４の間の内側の空間に、カーペットＢに対接させる構造体３１６が設けられている。
【０１２４】
構造体３１６は、例えば細幅の薄板を密な格子状に組み合わせて形成されている。図４６（ｂ）に示すように、構造体３１６は、第二固定具３０Ｆの底面内側より、ベース３１の底面壁３１１に沿わせるように嵌め込む形状である。構造体３１６において、第二固定具３０Ｆの外周の壁先端３２４と共にカーペットＢに対接する最下面は、例えば壁先端３２４と同等の高さ位置となるように設定されている。
【０１２５】
このような第二固定具３０Ｆを介して、仕切り体１１の下部１３を床面Ａ上のカーペットＢに対接させると、構造体３１６の格子状の下面壁がパイル糸の間に入り込むので、床面Ａ上のカーペットＢに対して、よりいっそう強固に固定することができる。なお、第二固定具３０Ｆの底面内側の空間には、構造体３１６の代わりに、前述した本変形例５の弾性体３１５を高さ寸法を合わせて設けるようにしても良い。
【０１２６】
以上の本変形例６の構成より、次の発明概念が導かれる。
遊技機２を並べて設置した遊技機島１に設けられ、隣り合う遊技機２の遊技者の足下を仕切るための間仕切り１０において、
隣り合う遊技機２同士の間の前方で、遊技機島１側の取付箇所から床面Ａに亘って固定される仕切り体１１を備え、
前記仕切り体１１の下部１３は、固定具３０Ｆを介して床面Ａ上に固定され、
前記固定具３０Ｆは、床面Ａ上のカーペットＢに対接して喰い込む構造体３１６を備えることを特徴とする。
なお、本変形例６における構造体３１６は、必ずしも格子状の形状に限らず、カーペットＢに対接して喰い込む構造であれば、例えば数多のピンを備えた剣山状のもの等、他の構造を採用することもできる。
【０１２７】
以上、本発明の実施の形態および変形例を図面によって説明してきたが、具体的な構成はこれらの実施の形態に限られるものではなく、本発明の要旨を逸脱しない範囲における変更や追加があっても本発明に含まれる。例えば、遊技機島１に設置する遊技機２の台数は、図１に示したように多数である必要はなく、数台程度の遊技機を、前後片面のみ、あるいは前後両面に並べた小型の遊技島に適用することもできる。ここで遊技機はパチンコ機に限定されるものではなく、例えば、遊技媒体としてメダルを用いるスロットマシン等でもかまわない。
【０１２８】
また、仕切り体１１，１１Ａ等を取付箇所に固定するときに、仕切り体１１，１１Ａ等を垂れ下がる状態に一時でも保持できれば「仮止め」となり、保持できなくても取付位置を規制できれば「位置決め」となるが、その具体的な構成は前述した各種実施の形態に限定されるものではない。例えば、第１〜第４実施の形態のように、天板３の上面に仮置するように仮止めするタイプではなく、第５，第６実施の形態のように、天板３の下面に仮止めないし位置決めするタイプでは、前述した嵌合部と被嵌合部との嵌合関係に限定されず、次のような別の構成も考えられる。
【０１２９】
すなわち、例えば天板３の下面に、鉄板等の磁力に吸着される金属材を所定の位置に設けておき、仕切り体１１，１１Ａの上部１２の上端側には、磁石やマグネットシート等を設ける構成が考えられる。また、磁力による方法以外にも、面接触による方法として、粘着テープや面ファスナ等による仮止めないし位置決めも可能である。
【０１３０】
また、第二固定具３０（各変形例を含む）を設置して、間仕切り１０，１０Ａ等が上下に突っ張った状態になったとき、仕切り体１１，１１Ａ等の上部１２の仮止め方法がある程度強固、若しくは位置ズレがしない方法であれば、必ずしも第一固定具２０を必要とするわけでない。例えば、前述した第５実施の形態では、仕切り体１１Ｄの上部１２をネジ止めする固定具は不要である。また、第６実施の形態では、上部固定具４０を天板３にネジ止めしているが、ぴったりと嵌合していれば、左右にズレにくい構造であるので、天板３へのネジ止めは不要となる。
【０１３１】
また、間仕切り１０，１０Ａ等を構成する仕切り体１１，１１Ａ等は、必ずしも板材から平板状に構成する必要はなく、他に例えば、棒材をパネルのような枠状に組み合わせて構成しても良い。また、仕切り体１１，１１Ａ等の上方にも、必要に応じて隣り合う遊技者からのタバコの煙や音等を遮蔽するように、天板３上方に延出する上部仕切り体を追加しても良い。
【０１３２】
また、仕切り体１１，１１Ａ等の材質としては、ネジ止めできるものとして木材が適している。特に、材質を木材とした場合、加工やネジ止めが容易なだけでなく、表面の塗装も容易であり、また他部材を取り付けるような加工も容易に行うことができる。ただし、仕切り体１１，１１Ａ等の材質は、木材に限るものではなく、ネジ止めが可能なものであれば、例えば合成樹脂等の加工性の良い材料で構成してもかまわない。
【０１３３】
また、仕切り体１１，１１Ａ等の周囲のうち遊技者が接触する範囲（特に上端縁１２１と前端縁１５等）には、弾性材質からなる保護シートないしカバーを装着すると良い。これにより、遊技者が仕切り体１１，１１Ａ等に強く接触しても安全面での問題もない。ここで保護シートないしカバーとしては、例えば、上端縁１２１と前端縁１５の端面に沿って貼着する弾性テープとして、滑らかな表皮と接着面と間に弾性材質層を設けたもの等が適している。
【０１３４】
また、仕切り体１１，１１Ａ等の上部１２には、別体として用意された例えば手置き（肘掛）、カップホルダー、携帯端末ホルダー、小物入れ、広告板、表示ディスプレイ、それに天板３の上方を仕切る間仕切り等の各種付属品を、それぞれオプションとして取り付け可能に構成すると良い。ここで各種付属品の取り付けは、例えば、上部１２の上端縁１２１に沿って予め蟻溝を形成しておき、各種付属品の下側には蟻溝に嵌合させる取付部を設けることにより、容易に着脱可能に取り付けることができる。もちろん、各種付属品を上部１２にネジ等で固定しても良い。また、前述した第３実施の形態の場合では、仕切り体１１Ｂの上部１２に各種付属品をオプションとして取り付けるのでなく、上面設置具１２３Ａを取り外し、各種付属品が備わった上面設置具１２３Ａを取り付けるように構成することもできる。
【０１３５】
さらに、仕切り体１１，１１Ａ等の上部１２の前端縁１５等の適所には、その構造自体の一部として、あるいは後付けするオプションとして、前記各種付属品とはまた別に、遊技者のバッグや手提げ袋、あるいは傘等を掛け止めるためのフックや切欠等を設けても良い。ここでフック等は、掛けたバッグ等が隣の遊技者の邪魔とならないように、使用する遊技者側に向けて設ける等、掛けた物が隣のスペースを侵食しないように向きや配置を工夫すると良い。
【産業上の利用可能性】
【０１３６】
本発明に係る遊技機島の間仕切りは、各種の遊技機を並べて設置した様々なタイプの遊技機島に付帯設備として広く適用することができる。
【符号の説明】
【０１３７】
１…遊技機島
２…遊技機
３…天板
４…腰板
５…台間球貸機
６…椅子
１０，１０Ａ，１０Ｂ，１０Ｃ，１０Ｄ，１０Ｅ…間仕切り
１１，１１Ａ，１１Ｂ，１１Ｃ，１１Ｄ，１１Ｅ…仕切り体
１２…上部
１３…下部
１４…後端縁
１５…前端縁
２０…第一固定具
３０，３０Ａ，３０Ｂ，３０Ｃ，３０Ｄ，３０Ｅ，３０Ｆ…第二固定具
４０…上部固定具
【図１】
2019209135.tif 000003
【図２】
2019209135.tif 000004
【図３】
2019209135.tif 000005
【図４】
2019209135.tif 000006
【図５】
2019209135.tif 000007
【図６】
2019209135.tif 000008
【図７】
2019209135.tif 000009
【図８】
2019209135.tif 000010
【図９】
2019209135.tif 000011
【図１０】
2019209135.tif 000012
【図１１】
2019209135.tif 000013
【図１２】
2019209135.tif 000014
【図１３】
2019209135.tif 000015
【図１４】
2019209135.tif 000016
【図１５】
2019209135.tif 000017
【図１６】
2019209135.tif 000018
【図１７】
2019209135.tif 000019
【図１８】
2019209135.tif 000020
【図１９】
2019209135.tif 000021
【図２０】
2019209135.tif 000022
【図２１】
2019209135.tif 000023
【図２２】
2019209135.tif 000024
【図２３】
2019209135.tif 000025
【図２４】
2019209135.tif 000026
【図２５】
2019209135.tif 000027
【図２６】
2019209135.tif 000028
【図２７】
2019209135.tif 000029
【図２８】
2019209135.tif 000030
【図２９】
2019209135.tif 000031
【図３０】
2019209135.tif 000032
【図３１】
2019209135.tif 000033
【図３２】
2019209135.tif 000034
【図３３】
2019209135.tif 000035
【図３４】
2019209135.tif 000036
【図３５】
2019209135.tif 000037
【図３６】
2019209135.tif 000038
【図３７】
2019209135.tif 000039
【図３８】
2019209135.tif 000040
【図３９】
2019209135.tif 000041
【図４０】
2019209135.tif 000042
【図４１】
2019209135.tif 000043
【図４２】
2019209135.tif 000044
【図４３】
2019209135.tif 000045
【図４４】
2019209135.tif 000046
【図４５】
2019209135.tif 000047
【図４６】
2019209135.tif 000048